(57)【要約】【課題】上下の外装材の接続部分の目地において、積極的に下り傾斜面の上端位置と上り傾斜面の下端位置とを前後にずらして位置させることで、施工性も良好で且つ統一感のある外観を現出できる外壁構造を提供する。【解決手段】外装材３の後面から下り傾斜面９の上端位置９ａまでの前後厚み寸法Ｂと、外装材３の後面から上り傾斜面１０の下端位置１０ａとの前後厚み寸法Ｃとを異ならせて形成することで、下り傾斜面９の上端位置９ａと上り傾斜面１０の下端位置１０ａとを前後にずらして位置させる。【選択図】図１
2008133701.tif 000002
【特許請求の範囲】
【請求項１】
壁下地に固定した取付具に上方に開口せる上係止用溝部と下方に開口せる下係止用溝部とを備え、外装材の上端部に突設した上凸部を上記下係止用溝部に嵌合すると共に外装材の下端部に突設した下凸部を上記上係止用溝部に嵌合することで上下に配置した外装材を取付具を介して壁下地に固定し、上下の外装材の接続部分に前方に開口する目地を設け、この目地を、外装材の前面側上端部に形成した前方ほど下位置となるように傾斜する下り傾斜面と、外装材の前面側下端部に形成した前方ほど上位置となるように傾斜する上り傾斜面とを合わせて形成して成る外壁構造において、外装材の後面から下り傾斜面の上端位置までの前後厚み寸法と、外装材の後面から上り傾斜面の下端位置との前後厚み寸法とを異ならせて形成することで、下り傾斜面の上端位置と上り傾斜面の下端位置とを前後にずらして位置させて成ることを特徴とする外壁構造。
【請求項２】
壁下地に固定した取付具に上方に開口せる上係止用溝部と下方に開口せる下係止用溝部とを備え、外装材の上端部に突設した上凸部を上記下係止用溝部に嵌合すると共に外装材の下端部に突設した下凸部を上記上係止用溝部に嵌合することで上下に配置した外装材を取付具を介して壁下地に固定し、上下の外装材の接続部分に前方に開口する目地を設け、この目地を、外装材の前面側上端部に形成した前方ほど下位置となるように傾斜する下り傾斜面と、外装材の前面側下端部に形成した前方ほど上位置となるように傾斜する上り傾斜面とを合わせて形成して成る外壁構造において、下凸部の後面が当接して外装材の前後位置が規定される上係止用溝部の後面位置と、上凸部の後面が当接して外装材の前後位置が規定される下係止用溝部の後面位置とを前後に異ならせることで、下り傾斜面の上端位置と上り傾斜面の下端位置とを前後にずらして位置させて成ることを特徴とする外壁構造。
【発明の詳細な説明】
【技術分野】
【０００１】
本発明は、上下に並設した外装材の間に目地を形成して成る外壁構造に関するものである。
【背景技術】
【０００２】
従来から、壁下地１の前方に複数の外装材３を横張り工法（上下に外装材３を並設して外装材３の上下端部同士を接合する工法）にて配置してなる外壁構造にあっては、図８のように、上下の外装材３の接合部分に目地８を設けて、壁下地１の不陸や外装材３の製造誤差（寸法誤差）等により生じる上下の外装材３の前後位置のずれを目立たせないようにし、良好な外観を現出させようとするものが知られている。たとえば、上記目地８としては、外装材３の前面側上端部に形成した前方ほど下位置となるように傾斜する下り傾斜面９と、外装材３の前面側下端部に形成した前方ほど上位置となるように傾斜する上り傾斜面１０とを合わせて形成するものがある。
【０００３】
ところで、このような外壁構造において、施工現場への要請としては、上り傾斜面１０の下端位置１０ａと下り傾斜面９の上端位置９ａとを前後にずらさず一点で合わせることを求めているが、これを達成するために現場では上記壁下地１の不陸や外装材３の製造誤差を埋める施工作業を適宜施す必要があったり、つまり外壁の形成施工作業はきわめて煩雑になっており、また、上り傾斜面１０の下端位置１０ａと下り傾斜面９の上端位置９ａとがぴったりに施工された多箇所の外装材３の接続部分の中で、施工誤差の見逃し等により上り傾斜面１０の下端位置１０ａと下り傾斜面９の上端位置９ａとが前後にずれてしまっている箇所があると、統一感という点で外壁の外観が低下してしまう、という問題があった。
【特許文献１】登録実用新案第３１１７１４４号公報
【発明の開示】
【発明が解決しようとする課題】
【０００４】
本発明は上記の点に鑑みてなされたものであり、その目的とするところは、上下の外装材の接続部分の目地において、積極的に下り傾斜面の上端位置と上り傾斜面の下端位置とを前後にずらして位置させることで、施工性も良好で且つ統一感のある外観を現出できる外壁構造を提供することを課題とするものである。
【課題を解決するための手段】
【０００５】
上記課題を解決するために請求項１に係る外壁構造にあっては、壁下地１に固定した取付具２に上方に開口せる上係止用溝部４と下方に開口せる下係止用溝部５とを備え、外装材３の上端部に突設した上凸部６を上記下係止用溝部５に嵌合すると共に外装材３の下端部に突設した下凸部７を上記上係止用溝部４に嵌合することで上下に配置した外装材３を取付具２を介して壁下地１に固定し、上下の外装材３の接続部分に前方に開口する目地８を設け、この目地８を、外装材３の前面側上端部に形成した前方ほど下位置となるように傾斜する下り傾斜面９と、外装材３の前面側下端部に形成した前方ほど上位置となるように傾斜する上り傾斜面１０とを合わせて形成して成る外壁構造において、外装材３の後面から下り傾斜面９の上端位置９ａまでの前後厚み寸法Ｂと、外装材３の後面から上り傾斜面１０の下端位置１０ａとの前後厚み寸法Ｃとを異ならせて形成することで、下り傾斜面９の上端位置９ａと上り傾斜面１０の下端位置１０ａとを前後にずらして位置させて成ることを特徴とする。
【０００６】
これによると、外装材３の後面から下り傾斜面９の上端位置９ａまでの前後厚み寸法Ｂと、外装材３の後面から上り傾斜面１０の下端位置１０ａとの前後厚み寸法Ｃとを異ならせて形成するといった簡単な構成によって、下り傾斜面９の上端位置９ａと上り傾斜面１０の下端位置１０ａとを前後にずらして位置させることができるのであり、このように上下の外装材３の接続部分の目地８において、積極的に下り傾斜面９の上端位置９ａと上り傾斜面１０の下端位置１０ａとを前後にずらして位置させることで、施工性も良好で且つ統一感のある外壁の外観を現出できる。
【０００７】
また、上記課題を解決するために請求項２に係る外壁構造にあっては、壁下地１に固定した取付具２に上方に開口せる上係止用溝部４と下方に開口せる下係止用溝部５とを備え、外装材３の上端部に突設した上凸部６を上記下係止用溝部５に嵌合すると共に外装材３の下端部に突設した下凸部７を上記上係止用溝部４に嵌合することで上下に配置した外装材３を取付具２を介して壁下地１に固定し、上下の外装材３の接続部分に前方に開口する目地８を設け、この目地８を、外装材３の前面側上端部に形成した前方ほど下位置となるように傾斜する下り傾斜面９と、外装材３の前面側下端部に形成した前方ほど上位置となるように傾斜する上り傾斜面１０とを合わせて形成して成る外壁構造において、下凸部７の後面が当接して外装材３の前後位置が規定される上係止用溝部４の後面位置４ａと、上凸部６の後面が当接して外装材３の前後位置が規定される下係止用溝部５の後面位置５ａとを前後に異ならせることで、下り傾斜面９の上端位置９ａと上り傾斜面１０の下端位置１０ａとを前後にずらして位置させて成ることを特徴とする。
【０００８】
これによると、下凸部７の後面が当接して外装材３の前後位置が規定される上係止用溝部４の後面位置４ａと、上凸部６の後面が当接して外装材３の前後位置が規定される下係止用溝部５の後面位置５ａとを前後に異ならせるといった簡単な構成によって、下り傾斜面９の上端位置９ａと上り傾斜面１０の下端位置１０ａとを前後にずらして位置させることができるのであり、このように上下の外装材３の接続部分の目地８において、積極的に下り傾斜面９の上端位置９ａと上り傾斜面１０の下端位置１０ａとを前後にずらして位置させることで、施工性も良好で且つ統一感のある外壁の外観を現出できる。
【発明の効果】
【０００９】
本発明にあっては、上下の外装材の接続部分の目地において積極的に下り傾斜面の上端位置と上り傾斜面の下端位置とを前後にずらして位置させ、施工性も良好で且つ統一感のある外壁の外観を現出できる、という利点を有する。
【発明を実施するための最良の形態】
【００１０】
以下、本発明を添付図面に示す実施形態に基いて説明する。
【００１１】
本例の外壁構造は、図１のように、壁下地１の前方に複数の外装材３を横張り（上下に外装材３を並設して外装材３の上下端同士を接合する）状態にして配置し、壁下地１に固定した取付具２に上方に開口せる上係止用溝部４と下方に開口せる下係止用溝部５とを備え、外装材３の上端部に突設した上凸部６を上記下係止用溝部５に嵌合すると共に外装材３の下端部に突設した下凸部７を上記上係止用溝部４に嵌合することで上下に配置した外装材３を取付具２を介して壁下地１に固定している。そして、上下の外装材３の接続部分には前方に開口する目地８が設けられ、この目地８は、外装材３の前面側上端部に形成した前方ほど下位置となるように傾斜する下り傾斜面９と、外装材３の前面側下端部に形成した前方ほど上位置となるように傾斜する上り傾斜面１０とを合わせて形成されている。なお、便宜上、屋外側を前方と称し、屋内側を後方と称して、説明していく。
【００１２】
外装材３は横張り工法用の窯業系のパネル材であって、壁下地１に沿わせて立設した状態で上端部が上方の外装材３の下端部への接合箇所となっており、下端部が下方の外装材３の上端部への接合箇所となっている。つまり、外装材３の上端部には上方の外装材３の上接合面１２が当接される下接合面１１が形成されており、外装材３の下端部には下方の外装材３の下接合面１１が当接される上接合面１２が形成されている。
【００１３】
詳しくは、外装材３の上端部の後部には下接合面１１から上方に向けて突出した上凸部６が設けられている。本例の上凸部６は側断面矩形状に形成され、その後面は外装材３の後面と面一状に形成されている。外装材３の上端部の前端部には、下端位置９ｂを外装材３の前面に位置させると共に、上端位置９ａを下接合面１１の前端に位置させた上記下り傾斜面９が形成されている。
【００１４】
また、外装材３の下端部の後部には下方に向けて突出した下凸部７が設けられており、外装材３の下端部の前部には下方に向けて突出してその下端面が上接合面１２となる接合用凸部１３が設けられている。上接合面１２は下凸部７の下面よりも下方に位置しており、外装材３の下端部の前後中央部には接合用凸部１３と下凸部７とで囲まれた下方へ開口する凹所１４が形成されている。本例の下凸部７は、凹所１４に臨む前面が前方ほど上方に位置する傾斜面とされていると共に、後面が外装材３の後面と面一状に形成されている。外装材３の下端部の前端部には、上端位置１０ｂを外装材３の前面に位置させると共に、下端位置１０ａを上接合面１２の前端に位置させた上記上り傾斜面１０が形成されている。
【００１５】
取付具２は外装材３の横方向の任意箇所に配置されるピース状のものであって、壁下地１の前面に沿わせて固定する垂直板状の基部１５を有し、基部１５の上下中央部分に、前方に突出した横片部１６と横片部１６から上方へ屈曲する上折曲部１７とで成るＬ字状の上係止用突片１９と、前方に突出した横片部１６と横片部１６から下方へ屈曲する下折曲部１８とで成る逆Ｌ字状の下係止用突片２０とを有している。なお、本例では各突片の横片部１６は兼用されており、横片部１６の適宜箇所を切り起こすことで上折曲部１７や下折曲部１８を形成している。上係止用溝部４は基部１５の上部の前面、横片部１６の上面及び上折曲部１７の後面で囲繞して形成されており、下係止用溝部５は基部１５の下部の前面、横片部１６の下面及び下折曲部１８の後面で囲繞されて形成されている。なお、上折曲部１７は斜め前方ほど上位置になるように傾斜し、下折曲部１８は鉛直下方へ垂下するように形成されている。また基部１５の上部域（横片部１６の突設位置よりも上方の部位）には図示はしないが取付具２を壁下地１に固定するためのビス等の固定具を挿通させるザグリ孔状の固着用孔が前後に貫通するように穿設されている。
【００１６】
本例の外壁の形成施工は、下側の外装材３を配設した後に取付具２を配設し、その後に上側の外装材３を配設する、という施工作業を繰り返すことで行われる。つまり、壁下地１に沿って配設した外装材３の上方から取付具２を近接させて、この外装材３の上凸部６に下係止用溝部５を上方から被せるように嵌合させ、壁下地１に沿わせた基部１５の固着用孔に固定具を挿通させて壁下地１に打入することで取付具２を壁下地１に固定する。このとき、この外装材３は取付具２を介して壁下地１に固定される。次いで、この外装材３に対して上側の外装材３を配設するのであるが、このとき上側の外装材３の下凸部７を上記壁下地１に固定された取付具２の上係止用溝部４に嵌合することで、この上側の外装材３は上記取付具２を介して壁下地１に沿って仮支持される。なお、本例では上折曲部１７が斜め上前方に向けて突出形成され、つまり上係止用溝部４が上広がりに形成されているから、斜め上前方から取付具２に近接させた外装材３の下凸部７を上係止用溝部４に挿入し易くされている。そして、この上側の外装材３は、その上凸部６に下係止用溝部５を嵌合させて新たな取付具２を壁下地１に固定させることで、この新たな取付具２を介して壁下地１に固定される。ここで、下凸部７が取付具２の上係止用溝部４に隙間無く嵌合することで外装材３の下端部の前後方向の位置が規定され、上凸部６が取付具２の下係止用溝部５に隙間無く嵌合することで外装材３の下端部の前後方向の位置が規定されている。また、下側の外装材３と上側の外装材３との接合部分では、上接合面１２と下接合面１１とが当接すると共に、下り傾斜面９と上り傾斜面１０とが合わされて目地８が形成されることとなる。
【００１７】
ところで、この目地８は、従来技術の項で述べたように、上下の外装材３の前後位置のずれ（上下の外装材３の各前面の前後方向へのずれ）を目立たせないようにして良好な外観を現出させるものであるが、目地８の形成施工は精度が求められる作業であって施工性は良好とは言い難く、また複数の目地８のうち１つでも施工ミスがあると不揃いな外観となって統一性が崩れて良好な外観を得られない。特に、図８のように、歩行者の目線高さＡよりも上方位置（たとえば歩行面から１．５ｍ程度よりも上方位置）にある複数の目地８のうちの１つが、施工誤差によって上り傾斜面１０の下端位置１０ａが下り傾斜面９の上端位置９ａよりも前方へずれた状態に形成されると、目地８の奥部にできる影（目地８に露出する上接合面１２の部位に影ができる）が歩行者が目地８を見上げた際に目についてしまい、歩行者からの外壁の外観は著しく低下してしまう。一方、歩行者の目線高さＡよりも下方位置（たとえば歩行面から１．５ｍ程度よりも下方位置）にある複数の目地８のうちの１つが、施工誤差によって下り傾斜面９の上端位置９ａが上り傾斜面１０の下端位置１０ａよりも前方へずれた状態に形成されると、目地８の奥部にできる影（目地８に露出する下接合面１１の部位に影ができる）が歩行者が目地８を見下ろした際に目についてしまい、歩行者からの外壁の外観は著しく低下してしまうのである。本例の外壁構造では、上記問題を克服して施工性及び外観を良好にするべく、上下の外装材３の間の接合部分の目地８を、下り傾斜面９の上端位置９ａと上り傾斜面１０の下端位置１０ａとを前後にずらして位置させた状態に形成させる工夫が施されており、以下に詳述する。
【００１８】
すなわち、本例では、外装材３の後面から下り傾斜面９の上端位置９ａまでの前後厚み寸法Ｂと、外装材３の後面から上り傾斜面１０の下端位置１０ａとの前後厚み寸法Ｃとを異ならせて形成してある。本例では外装材３の前後厚みは上下に亙って一定であるから、下り傾斜面９の外装材３の前面からの引き込み寸法Ｄと、上り傾斜面１０の外装材３の前面からの引き込み寸法Ｅとが異なるように形成されている。ここで、本例では外装材３の前後厚みは上下に亙って一定であって、下凸部７の後面が当接して外装材３の前後位置が規定される上係止用溝部４の後面位置４ａや、上凸部６の後面が当接して外装材３の前後位置が規定される下係止用溝部５の後面位置５ａを構成する取付具２の基部１５の前面が上下で面一に形成されているから、壁下地１に固定した上下の外装材３の前面同士は良好な外観を現出できる面一状態となっている。したがって、外装材３の後面から下り傾斜面９の上端位置９ａまでの前後厚み寸法Ｂと、外装材３の後面から上り傾斜面１０の下端位置１０ａとの前後厚み寸法Ｃとを異ならせて形成したことで、上下の外装材３の接続部分の目地８は下り傾斜面９の上端位置９ａと上り傾斜面１０の下端位置１０ａとが前後にずれるように形成されたものとなり、これにより、従来のように施工者に下り傾斜面９の上端位置９ａと上り傾斜面１０の下端位置１０ａとを一致させる精度の必要な施工を課することなくて目地８の形成施工の施工性を良好にでき、また目地８の全てが下り傾斜面９の上端位置９ａと上り傾斜面１０の下端位置１０ａとを前後にずらして位置されるから外壁の統一感のある外観も現出できるのである。
【００１９】
また、本例の外壁にあっては、歩行者の目線高さＡよりも上方位置（たとえば歩行面から１．５ｍ程度よりも上方位置）にある目地８については、下り傾斜面９の上端位置９ａが上り傾斜面１０の下端位置１０ａよりも前方へずれた状態に形成してあり、これにより目地８の奥部にできる影（目地８に露出する下接合面１１の部位に影ができる）は歩行者が目地８を見上げた際に目につかないようにできて、歩行者からの外壁の外観の低下が回避されている。また、歩行者の目線高さＡよりも下方位置（たとえば歩行面から１．５ｍ程度よりも下方位置）にある目地８については、上り傾斜面１０の下端位置１０ａが下り傾斜面９の上端位置９ａよりも前方へずれた状態に形成してあり、これにより目地８の奥部にできる影（目地８に露出する上接合面１２の部位に影ができる）は歩行者が目地８を見下ろした際に目につかないようにできて、歩行者からの外壁の外観の低下が回避されている。
【００２０】
なお、外装材３の前面に凹凸形状等の化粧を施したり、図２のように外装材３の前後厚みが上下で異なるように形成されていても、外装材３の後面から下り傾斜面９の上端位置９ａまでの前後厚み寸法Ｂと、外装材３の後面から上り傾斜面１０の下端位置１０ａとの前後厚み寸法Ｃとを異ならせて形成することで、下り傾斜面９の上端位置９ａと上り傾斜面１０の下端位置１０ａとを前後にずらして目地８を形成できるから、先例と同様の作用効果を奏することができる。更に言うと、このように外装材３の前後厚みが上下で異なるように形成されている場合には、下り傾斜面９の外装材３の前面からの引き込み寸法Ｄと上り傾斜面１０の外装材３の前面からの引き込み寸法Ｅとを同一に形成しても、下り傾斜面９の上端位置９ａと上り傾斜面１０の下端位置１０ａとを前後にずらして目地８を形成できるので、外装材３への上り傾斜面１０や下り傾斜面９の形成が容易である利点も有している。なお、図２のように外装材３の前後厚みが上下で異なるように形成された場合などには、上下の外装材３の前面が前後にずれて面一状態にはならないのであるが、上下の外装材３の接合部分に目地８があることで、上下の外装材３の前面の前後へのズレが違和感を生じさせることはなく、外壁の外観を低下させることにはならないのは言うまでもない。
【００２１】
以下には本発明の実施の形態の他例を列挙する。先例と同様部位については同符号を付して説明を省き、異なる部位について説明をしていく。なお、以下の各例は、上下の外装材３の間の接合部分の目地８を下り傾斜面９の上端位置９ａと上り傾斜面１０の下端位置１０ａとを前後にずらして位置させた状態に形成させる手段を異ならせたものであり、具体的に、取付具２において、下凸部７の後面が当接して外装材３の前後位置が規定される上係止用溝部４の後面位置４ａと、上凸部６の後面が当接して外装材３の前後位置が規定される下係止用溝部５の後面位置５ａとを前後に異ならせることで行わせている。以下、詳述する。
【００２２】
図３の例は、取付具２の基部１５の前面に、その上部域（横片部１６の突設位置よりも上方の部位）と下部域（横片部１６の突設位置よりも下方の部位）とで前後位置をずらすように段差２０を形成している。基部１５の前面の上部域は上係止用溝部４の後面位置４ａを構成しており、基部１５の前面の下部域は下係止用溝部５の後面位置５ａを構成している。たとえば段差２０によって下係止用溝部５の後面位置５ａが上係止用溝部４の後面位置４ａよりも前方に位置した場合には、この下係止用溝部５に嵌合する上凸部６を有した外装材３の上端部を、上係止用溝部４に嵌合する下凸部７を有した外装材３の下端部に比べて前方にずらして位置させることができる。このように取付具２によって上下の外装材３の前後の配置位置をずらすことで、下り傾斜面９の上端位置９ａと上り傾斜面１０の下端位置１０ａとを前後にずらして目地８を形成できるから、先例（図２）と同様の作用効果を奏することができる。なお、本例では、外装材３の前後厚みが上下に亙って同一であると共に、下り傾斜面９の外装材３の前面からの引き込み寸法Ｄと上り傾斜面１０の外装材３の前面からの引き込み寸法Ｅとを同一に形成させているが、取付具２によって上下の外装材３の前後の配置位置をずらすことで、下り傾斜面９の上端位置９ａと上り傾斜面１０の下端位置１０ａとを前後にずらした目地８の形成が可能である。すなわち、外装材３の製造を容易にできる利点も有している。なお、図４の例は、外装材３の前後厚みが上下で異なるように形成され、取付具２を介して上下の外装材３を壁下地１に固定したときに上下の外装材３の各前面が面一状態になっており、先例（図１）と同様の作用効果を有するものである。
【００２３】
また、図５の例は、取付具２の基部１５の面一状の前面における、上部域（横片部１６の突設位置よりも上方の部位）または下部域（横片部１６の突設位置よりも下方の部位）に前方に突出する突起２１を形成している。突起２１の突出先端は上係止用溝部４の後面位置４ａまたは下係止用溝部５の後面位置５ａとなり、基部１５の前面が構成する下係止用溝部５の後面位置５ａまたは上係止用溝部４の後面位置４ａに比べて、前方にずらして位置できる。たとえば基部１５の前面の下部域に突起２１を形成すると、突起２１の突出先端が構成する下係止用溝部５の後面位置５ａが、基部１５の前面の上部域が構成する上係止用溝部４の後面位置４ａよりも前方に位置するのであり、下係止用溝部５に嵌合する上凸部６を有した外装材３の上端部を、上係止用溝部４に嵌合する下凸部７を有した外装材３の下端部に比べて前方にずらして位置させることができる。このように取付具２によって上下の外装材３の前後の配置位置をずらすことで、下り傾斜面９の上端位置９ａと上り傾斜面１０の下端位置１０ａとを前後にずらして目地８を形成できる。本例は先例（図３）と同様の作用効果を奏することができる。
【００２４】
また、図６の例は、取付具２の基部１５の面一状の前面における、上部域（横片部１６の突設位置よりも上方の部位）及び下部域（横片部１６の突設位置よりも下方の部位）にそれぞれ突起２１を形成し、上部域の突起２１と下部域の突起２１との各突出量を異ならせて形成している。上部域の突起２１の突出先端は上係止用溝部４の後面位置４ａを構成し、下部域の突起２１の突出先端は下係止用溝部５の後面位置５ａを構成するのであり、上部域の突起２１と下部域の突起２１との各突出量を異ならせたことで、上係止用溝部４の後面位置４ａと下係止用溝部５の後面位置５ａとを前後に異ならせることができる。たとえば基部１５の前面の下部域に突出量の大きい突起２１ａを形成し、基部１５の前面の上部域に突出量の小さい突起２１ｂを形成すると、突出量の大きい突起２１ａの突出先端が構成する下係止用溝部５の後面位置５ａが、突出量の小さい突起２１ｂの突出先端が構成する上係止用溝部４の後面位置４ａよりも前方に位置するのであり、下係止用溝部５に嵌合する上凸部６を有した外装材３の上端部を、上係止用溝部４に嵌合する下凸部７を有した外装材３の下端部に比べて前方にずらして位置させることができる。このように取付具２によって上下の外装材３の前後の配置位置をずらすことで、下り傾斜面９の上端位置９ａと上り傾斜面１０の下端位置１０ａとを前後にずらして目地８を形成できる。本例も先例（図３）と同様の作用効果を奏することができる。なお、図示はしないが、図５や６の例でも、外装材３の前後厚みを上下で異ならせて形成し、外壁の外観向上を図って上下の外装材３の各前面を面一状にすることも好ましい。
【００２５】
また、上記実施形態では断面略Ｖ字形状に形成する目地８について例示したが、目地８としてはたとえば図７のように断面略台形形状に形成した場合でも、上記実施形態と同様に、上下の外装材３の接続部分の目地８において積極的に下り傾斜面９の上端位置９ａと上り傾斜面１０の下端位置１０ａとを前後にずらして位置させ、施工性も良好で且つ統一感のある外壁の外観を現出させることができる。詳述すると、図７（ａ）の目地８は、下り傾斜面９の上端位置９ａから略鉛直上方へ伸びて下接合面１１に至る下縦面２２と、上り傾斜面１０の下端位置１０ａから略鉛直下方へ伸びて上接合面１２に至る上縦面２３とを有して、断面略台形形状に形成している。また、図７（ｂ）の目地８は、上記上縦面２３は有さないが上記下縦面２２を有して断面略台形形状に形成している。なお、図示はしないが、上記下縦面２２を有さずに上記上縦面２３を有して断面略台形形状に形成した目地８も採用できる。
【図面の簡単な説明】
【００２６】
【図１】本発明の実施の形態の例の外壁の側断面図である。
【図２】同上の変形例の外壁の側断面図である。
【図３】本発明の実施の形態の他例の外壁の側断面図である。
【図４】同上の変形例の外壁の側断面図である。
【図５】本発明の実施の形態の更に他例の外壁の側断面図である。
【図６】本発明の実施の形態の更に他例の外壁の側断面図である。
【図７】本発明の実施の形態の更に他例であり、（ａ）（ｂ）はそれぞれ目地の形状を異ならせた例の外壁の側断面図である。
【図８】従来技術の例の外壁の側断面図である。
【符号の説明】
【００２７】
１  壁下地
２  取付具
３  外装材
４  上係止用溝部
４ａ  後面位置
５  下係止用溝部
５ａ  後面位置
６  上凸部
７  下凸部
８  目地
９  下り傾斜面
９ａ  上端位置
１０  上り傾斜面
１０ａ  下端位置
２０  段差
２１  突起
Ａ  目線高さ
Ｂ  前後厚み寸法
Ｃ  前後厚み寸法
Ｄ  引き込み寸法
Ｅ  引き込み寸法
【図１】
2008133701.tif 000003
【図２】
2008133701.tif 000004
【図３】
2008133701.tif 000005
【図４】
2008133701.tif 000006
【図５】
2008133701.tif 000007
【図６】
2008133701.tif 000008
【図７】
2008133701.tif 000009
【図８】
2008133701.tif 000010